(57)【要約】【課題】差込フラップの角部を側部フラップの開口部にスムーズに挿入することができ、差込フラップを側部フラップに連結し易くなる包装箱を提供する。【解決手段】包装箱１Ａであって、胴部１０、頂部２０および底部３０を備えている。頂部２０は、左右の側部フラップ２３，２４と、両側部フラップ２３，２４の上面に重ねられた差込フラップ２１と、を有している。左側部フラップ２３の開口部５０の開口縁部には、左側から右側に向けて斜め後方に延びている係止縁部５３が形成されている。差込フラップ２１の左側の角部２５は、開口部５０に差し込まれて、係止縁部５３側から左側部フラップ２３の下面側に入り込んでいる。差込フラップ２１には、左右の側縁部に亘って傾斜罫線Ｌ１が形成され、傾斜罫線Ｌ１は左側から右側に向けて斜め後方に延びている。【選択図】図１
2020147316.tif 000002
【特許請求の範囲】
【請求項１】
前後一対の端壁および左右一対の側壁を有する筒状の胴部と、
前記胴部の上側の開口部に設けた頂部と、
前記胴部の下側の開口部を閉塞している底部と、を備え、
前記頂部は、
前記両側壁の上縁部に連設された左右一対の側部フラップと、
前側の前記端壁の上縁部に連設され、前記両側部フラップの上面に重ねられた差込フラップと、を有し、
左右一方の前記側部フラップには開口部が形成され、
前記開口部の開口縁部には、左右一方から他方に向けて斜め後方に延びている係止縁部が形成されており、
前記差込フラップの左右一方の角部は、前記開口部に差し込まれて、前記係止縁部側から前記側部フラップの下面側に入り込んでおり、
前記差込フラップには、左右の側縁部に亘って傾斜罫線が形成され、
前記傾斜罫線は、左右一方から他方に向けて斜め後方に延びていることを特徴とする包装箱。
【請求項２】
請求項１に記載の包装箱であって、
前記差込フラップの先端縁部と左右一方の側縁部との間には傾斜縁部が形成されていることを特徴とする包装箱。
【請求項３】
請求項１または請求項２に記載の包装箱であって、
前記傾斜罫線は、前側の前記端壁の上縁部に対して５度から１０度の間で傾斜していることを特徴とする包装箱。
【請求項４】
請求項１から請求項３のいずれか一項に記載の包装箱であって、
前記開口部を閉塞するための蓋板が設けられており、
前記開口部の前後方向の幅は、左右一方から他方に向かうに連れて広くなっていることを特徴とする包装箱。
【発明の詳細な説明】
【技術分野】
【０００１】
本発明は、包装箱に関する。
【背景技術】
【０００２】
角筒状の胴部を有する包装箱の頂部としては、差込フラップを左右の側部フラップの上面に重ねて、差込フラップの角部を側部フラップに連結する構成がある。
【０００３】
前記した包装箱としては、端壁の上縁部に平行な横罫線を差込フラップに形成し、差込フラップを横罫線において山折りに折り曲げた状態で、差込フラップの角部を側部フラップの開口部に差し込む構成がある（例えば、特許文献１参照）。
【０００４】
また、前記した包装箱としては、差込フラップに前後方向の縦罫線を形成し、差込フラップの角部を縦罫線において山折りに折り曲げた状態で、差込フラップの角部を側部フラップの開口部に差し込む構成がある（例えば、特許文献２参照）。
【先行技術文献】
【特許文献】
【０００５】
【特許文献１】特開２００５−３４３５４２号公報
【特許文献２】特開２００７−０８４１２８号公報
【発明の概要】
【発明が解決しようとする課題】
【０００６】
前記した従来の包装箱において、差込フラップを山折りに折り曲げた状態で、差込フラップの角部を側部フラップの開口部に差し込み可能な位置に配置すると、側部フラップの上面に対する差込フラップの角部の傾斜角度が大きくなる。したがって、前記した従来の包装箱では、差込フラップの挿入角度が大きくなり、差込フラップが内容物に引っ掛かり易いため、差込フラップを側部フラップに連結し難いという問題がある。
【０００７】
本発明は、前記した問題を解決し、差込フラップの角部を側部フラップの開口部にスムーズに挿入することができ、差込フラップを側部フラップに連結し易くなる包装箱を提供することを課題とする。
【課題を解決するための手段】
【０００８】
前記課題を解決するため、本発明は、包装箱であって、前後一対の端壁および左右一対の側壁を有する筒状の胴部と、前記胴部の上側の開口部に設けた頂部と、前記胴部の下側の開口部を閉塞している底部と、を備えている。前記頂部は、前記両側壁の上縁部に連設された左右一対の側部フラップと、前側の前記端壁の上縁部に連設され、前記両側部フラップの上面に重ねられた差込フラップと、を有している。左右一方の前記側部フラップには、開口部が形成されている。前記開口部の開口縁部には、左右一方から他方に向けて斜め後方に延びている係止縁部が形成されている。前記差込フラップの左右一方の角部は、前記開口部に差し込まれて、前記係止縁部側から前記側部フラップの下面側に入り込んでいる。前記差込フラップには、左右の側縁部に亘って傾斜罫線が形成され、前記傾斜罫線は、左右一方から他方に向けて斜め後方に延びている。
【０００９】
本発明の包装箱では、差込フラップを胴部の内側に折り曲げるとともに、差込フラップを傾斜罫線において山折りに折り曲げると、差込フラップの左右一方の角部が他方側に移動する。これにより、側部フラップの上面に対する差込フラップの角部の傾斜角度が小さくても、差込フラップの角部を側部フラップの係止縁部の側方に移動させることができる。そして、山折りにした差込フラップを平坦に伸ばしていくことで、差込フラップを浅い挿入角度で開口部に差し込むことができるため、差込フラップが内容物に引っ掛かり難くなる。
【００１０】
また、前記した従来の包装箱において、本発明の差込フラップと同じ挿入角度で差込フラップを開口部に差し込む場合に比べて、本発明の差込フラップでは側部フラップの下面側に入り込む前後方向の長さを大きくできる。
【００１１】
前記した包装箱において、前記差込フラップの先端縁部と左右一方の側縁部との間に傾斜縁部を形成することが好ましい。
この構成では、差込フラップの角部を係止縁部の側方に移動させ易くなる。また、差込フラップの角部が内容物に引っ掛かり難くなる。
【００１２】
前記した包装箱において、前記傾斜罫線を前側の前記端壁の上縁部に対して５度から１０度の間で傾斜させることで、差込フラップの角部の挿入角度を確実に浅くすることができる。
【００１３】
前記した包装箱において、前記開口部を閉塞するための蓋板を設けた場合には、前記開口部の前後方向の幅を左右一方から他方に向かうに連れて広くすることが好ましい。
この構成では、開口部から蓋板を胴部の内側に押し込むときに、蓋板の一方の端部を押すと、蓋板に対する押圧力を集中するため、蓋板を押し込み易くなっている。
【発明の効果】
【００１４】
本発明の包装箱では、差込フラップを側部フラップの開口部にスムーズに差し込むことができるため、差込フラップを側部フラップに連結し易いとともに、差込フラップを側部フラップに対して確実に連結できる。
【図面の簡単な説明】
【００１５】
【図１】本発明の第一実施形態に係る包装箱を前方左上から見た斜視図である。
【図２】本発明の第一実施形態に係る包装箱を前方左下から見た斜視図である。
【図３】本発明の第一実施形態に係る包装箱のブランクシートを示した図である。
【図４】本発明の第一実施形態に係る包装箱において、蓋板を押し込んだ状態を前方左上から見た斜視図である。
【図５】本発明の第一実施形態に係る包装箱において、差込フラップを左側部フラップの開口部に差し込む前の状態を前方左上から見た斜視図である。
【図６】本発明の第二実施形態に係る包装箱を前方左上から見た斜視図である。
【図７】本発明の第二実施形態に係る包装箱を前方左下から見た斜視図である。
【図８】本発明の第二実施形態に係る包装箱のブランクシートを示した図である。
【発明を実施するための形態】
【００１６】
本発明の実施形態について、適宜図面を参照しながら詳細に説明する。
各実施形態の説明において、同一の構成要素に関しては同一の符号を付し、重複した説明は省略するものとする。
以下の説明において、前後左右方向とは、本実施形態の包装箱を説明する上で便宜上設定したものであり、包装箱の構成や使用状態を限定するものではない。
なお、本実施形態における包装箱の左側は、特許請求の範囲における左右の一方であり、本実施形態における包装箱の右側は、特許請求の範囲における左右の他方である。
【００１７】
［第一実施形態］
第一実施形態の包装箱１Ａは、図１に示すように、角筒状に形成された胴部１０と、胴部１０の上側の開口部を閉塞している頂部２０と、胴部１０の下側の開口部を閉塞している底部３０と、を備えている。
【００１８】
第一実施形態の包装箱１Ａは、図３に示すように、一枚の段ボール製のシートを切り抜いたブランクシートＳ１を各罫線において山折りまたは谷折りすることで形成される。図３に示すブランクシートＳ１は内面側が見えるように配置されている。
ブランクシートＳ１の各罫線（折線）は、ブランクシートＳ１の表面を押し込んで形成された線状の溝（押罫）である。
なお、罫線に断続的な切れ込みを形成してもよい。このようにすると、罫線においてブランクシートＳ１を折り曲げ易くなる。
【００１９】
胴部１０は、図１に示すように、前後一対の端壁１１，１２と、左右一対の側壁１３，１４と、を有している。前後の端壁１１，１２および左右の側壁１３，１４は、四角形に形成されている。
前側の端壁１１の左縁部には、罫線を介して左側の側壁１３が連設されている。また、前側の端壁１１の右縁部には、罫線を介して右側の側壁１４が連設されている。また、右側の側壁１４の後縁部には、罫線を介して後側の端壁１２が連設されている。また、左側の側壁１３の後縁部には、罫線を介して帯状の接合片１５が連設されている。
【００２０】
ブランクシートＳ１（図３参照）を各罫線で折り曲げつつ、接合片１５を後側の端壁１２の内面に接合すると、前後の端壁１１，１２および左右の側壁１３，１４によって、平面視で四角形の角筒状の胴部１０が形成される。胴部１０の上面および下面には、平面視で四角形の開口部が形成されている。
【００２１】
底部３０は、図２に示すように、前後の端壁１１，１２の下縁部に連設された前後一対の端部フラップ３１，３１と、左右の側壁１３，１４の下縁部に連設された左右一対の側部フラップ３２，３２と、を有している。
【００２２】
左右の側部フラップ３２，３２は、胴部１０の下側の開口部の左右方向の中央で突き合わされている。両側部フラップ３２，３２によって胴部１０の下側の開口部が閉塞されている。
両側部フラップ３２，３２の前部および後部には、左右方向に延びている連結口３３，３３がそれぞれ形成されている。
【００２３】
端部フラップ３１は、両側部フラップ３２，３２の下面に重ねられている。端部フラップ３１の先端縁部には係止片３１ａが突出している。係止片３１ａは、両側部フラップ３２，３２の下面から連結口３３に押し込まれており、係止片３１ａが両側部フラップ３２，３２の上面に係止されている。
この構成では、前後の端部フラップ３１，３１を両側部フラップ３２，３２に簡単かつ確実に連結して底部３０を閉じることができる。
【００２４】
頂部２０は、図１に示すように、前側の端壁１１に連設された差込フラップ２１と、後側の端壁１２に連設された後部フラップ２２と、左側の側壁１３に連設された左側部フラップ２３と、右側の側壁１４に連設された右側部フラップ２４と、を有している。
【００２５】
後部フラップ２２は、後側の端壁１２の上縁部に連設されており、後側の端壁１２に対して胴部１０の内側に折り曲げられている。
左側部フラップ２３は、左側の側壁１３の上縁部に連設されており、胴部１０の上側の開口部の左半分を覆っている。左側部フラップ２３の後部は、後部フラップ２２の上面の左半分に重ねられている。
右側部フラップ２４は、右側の側壁１４の上縁部に罫線を介して連設されており、胴部１０の上側の開口部の右半分を覆っている。右側部フラップ２４の後部は、後部フラップ２２の上面の右半分に重ねられている。
左側部フラップ２３と右側部フラップ２４とは、胴部１０の上側の開口部の左右方向の中央において突き合わされている。
【００２６】
左側部フラップ２３の前部には、図４に示すように、開口部５０が形成されている。開口部５０の左縁部は、左側部フラップ２３の左縁部２３ａに接している。開口部５０の右縁部５２は、左側部フラップ２３の左右方向の略中央に配置されている。
【００２７】
開口部５０の前縁部５１は、左側部フラップ２３の左縁部２３ａから右方に向けて延びており、左縁部２３ａに対して垂直に形成されている。
開口部５０の右縁部５２は、前縁部５１の右端部から後方に向けて延びており、前縁部５１に対して垂直に形成されている。
【００２８】
開口部５０の後縁部は、差込フラップ２１の角部２５が係止される係止縁部５３となっている。
係止縁部５３には、左側部フラップ２３の左縁部２３ａから右方に向けて延びている平行部５３ａが形成されている。平行部５３ａは、左縁部２３ａに対して垂直に形成されている（図３参照）。
【００２９】
係止縁部５３には、平行部５３ａの右端部から右方に向けて斜め後方に延びている傾斜部５３ｂが形成されている。
傾斜部５３ｂは、左端部よりも右端部が後方に配置されており、左端部から右端部に向かうに連れて前側の端壁１１の上縁部１１ａから後方に離れている。
【００３０】
開口部５０において、前縁部５１と係止縁部５３の平行部５３ａとの前後方向の間隔は一定となっている（図３参照）。
開口部５０において、前縁部５１と係止縁部５３の傾斜部５３ｂとの前後方向の間隔は左側から右側に向かうに連れて広くなっている（図３参照）。
【００３１】
開口部５０は、図３に示すブランクシートＳ１の状態において、蓋板６０によって閉塞されている。蓋板６０の右縁部は、罫線を介して開口部５０の右縁部５２に連設されている。蓋板６０の右縁部以外の部位はスリットを介して開口部５０の開口縁部に連設されている。
【００３２】
蓋板６０は開口部５０と同じ形状である。したがって、蓋板６０は、図４に示すように、左端部の前後方向の幅よりも右端部の前後方向の幅が広くなっている。つまり、蓋板６０は、右側の領域の面積よりも左側の領域の面積が小さくなっている。
【００３３】
差込フラップ２１は、図１に示すように、前側の端壁１１の上縁部１１ａに罫線を介して連設されており、左側部フラップ２３および右側部フラップ２４の上面の前部に重ねられている。
【００３４】
差込フラップ２１の先端部の左側の角部２５は、左側部フラップ２３の開口部５０に差し込まれている。差込フラップ２１の角部２５は、開口部５０の係止縁部５３側から左側部フラップ２３の下面側に入り込んでいる。
差込フラップ２１の角部２５が左側部フラップ２３の下面に係止されることで、差込フラップ２１が左側部フラップ２３および右側部フラップ２４の上面に押し付けられている。このように、差込フラップ２１によって、左側部フラップ２３および右側部フラップ２４を押さえることで、頂部２０が閉じられている。
【００３５】
差込フラップ２１の角部２５には、傾斜縁部２５ａが形成されている（図３参照）。傾斜縁部２５ａは、差込フラップ２１の先端縁部２１ａの左端部と左縁部２１ｂの後端部との間に形成されている。傾斜縁部２５ａは、左端部から右端部に向けて斜め後方に延びている。
【００３６】
差込フラップ２１の下面には、左右方向に延びている傾斜罫線Ｌ１が形成されている。傾斜罫線Ｌ１は、差込フラップ２１の左右の側縁部に亘って形成されている。
傾斜罫線Ｌ１は、左端部から右端部に向けて斜め後方に延びている。傾斜罫線Ｌ１は、左端部よりも右端部が後方に配置されており、左端部から右端部に向かうに連れて前側の端壁１１の上縁部１１ａ（差込フラップ２１の基端縁部）から後方に離れている。そして、前側の端壁１１の上縁部１１ａと傾斜罫線Ｌ１との前後方向の幅は、左側から右側に向かうに連れて広くなっている。
【００３７】
第一実施形態の傾斜罫線Ｌ１は、前側の端壁１１の上縁部（差込フラップ２１の基端縁部）に対して５度から１０度の間で傾斜しているが、その傾斜角度は限定されるものではない。傾斜罫線Ｌ１は、前側の端壁１１の上縁部に対して５度の角度で傾斜していることが好ましい。
【００３８】
傾斜罫線Ｌ１の左端部は、差込フラップ２１の左縁部２１ｂの前後方向の中央よりも前側に接続されている。傾斜罫線Ｌ１の右端部は、差込フラップ２１の右縁部２１ｃの前後方向の略中央に接続されている。
【００３９】
第一実施形態の包装箱１Ａの頂部２０を組み立てるときには、図４に示すように、最初に後部フラップ２２を後側の端壁１２に対して胴部１０の内側に折り曲げる。
続いて、左側部フラップ２３を左側の側壁１３に対して胴部１０の内側に折り曲げるとともに、右側部フラップ２４を右側の側壁１４に対して胴部１０の内側に折り曲げる。
これにより、左側部フラップ２３および右側部フラップ２４によって胴部１０の上側の開口部が閉塞される、また、左側部フラップ２３および右側部フラップ２４の後部は、後部フラップ２２の上面に重なる。
【００４０】
続いて、蓋板６０の左端部を上から押し込み、蓋板６０を左側部フラップ２３に対して胴部１０の内側に入り込ませて、開口部５０を開口させる。
【００４１】
次に、図５に示すように、差込フラップ２１を前側の端壁１１に対して胴部１０の内側に折り曲げるとともに、差込フラップ２１を傾斜罫線Ｌ１において山折りに折り曲げる。
このようにすると、差込フラップ２１の左縁部２１ｂは、傾斜罫線Ｌ１の左端部に対して右側に傾斜し、左側の角部２５が右方に移動する。
【００４２】
これにより、差込フラップ２１の左側の角部２５を左側部フラップ２３の係止縁部５３の右側に移動させることができる。
第一実施形態の包装箱１Ａでは、差込フラップ２１を折り曲げたときに、差込フラップ２１の傾斜縁部２５ａと、係止縁部５３の傾斜部５３ｂとが略平行となるように構成されている。
【００４３】
続いて、山折りにした差込フラップ２１を平坦に伸ばすと、差込フラップ２１の角部２５が左方に移動する。そして、差込フラップ２１の角部２５を左側部フラップ２３の開口部５０に差し込み、差込フラップ２１の角部２５を開口部５０の係止縁部５３の傾斜部５３ｂ側から左側部フラップ２３の下面側に入り込ませる。
このようにして、差込フラップ２１を左側部フラップ２３の下面に係止させ、差込フラップ２１によって左側部フラップ２３および右側部フラップ２４を押さえることで、頂部２０を閉じることができる。
【００４４】
以上のような第一実施形態の包装箱１Ａでは、図５に示すように、差込フラップ２１を折り曲げたときに、左側部フラップ２３に対する差込フラップ２１の傾斜角度が小さくても、差込フラップ２１の角部２５を係止縁部５３の右側に移動させることができる。そして、差込フラップ２１を浅い挿入角度で開口部５０に差し込むことができるため、差込フラップ２１が内容物に引っ掛かり難くなる。
【００４５】
また、第一実施形態の包装箱１Ａでは、図１に示すように、左側部フラップ２３から差込フラップ２１を取り外して頂部２０を開くときに、差込フラップ２１を浅い角度で開口部５０から引き抜くことができるため、差込フラップ２１が内容物に引っ掛かり難い。
【００４６】
また、第一実施形態の包装箱１Ａでは、差込フラップ２１の角部２５に傾斜縁部２５ａが形成されているため、差込フラップ２１の角部２５が内容物に引っ掛かり難くなっている。
【００４７】
また、第一実施形態の包装箱１Ａでは、図１に示すように、差込フラップ２１の開口部５０への挿入角度を浅くしつつ、差込フラップ２１が左側部フラップ２３の下面側に入り込む前後方向の長さＬを大きくできる。
【００４８】
このように、第一実施形態の包装箱１Ａでは、差込フラップ２１を左側部フラップ２３の開口部５０にスムーズに差し込むことができるため、差込フラップ２１を左側部フラップ２３に連結し易い。また、第一実施形態の包装箱１Ａでは、差込フラップ２１を左側部フラップ２３に対して確実に連結できる。
【００４９】
また、第一実施形態の包装箱１Ａでは、図５に示すように、差込フラップ２１の角部２５に傾斜縁部２５ａが形成されているため、差込フラップ２１の角部２５を係止縁部５３の側方に移動させ易い。
【００５０】
また、第一実施形態の包装箱１Ａでは、差込フラップ２１の傾斜罫線Ｌ１を前側の端壁１１の上縁部に対して５度から１０度の間で傾斜させることで、差込フラップ２１の角部２５の挿入角度を確実に浅くすることができる。
【００５１】
また、第一実施形態の包装箱１Ａでは、図４に示すように、開口部５０を閉塞している蓋板６０の右側の領域の面積よりも左側の領域の面積が小さくなっている。したがって、蓋板６０を胴部１０の内側に押し込むときに、蓋板６０の左端部を押すと、蓋板６０に対する押圧力が集中するため、蓋板６０を押し込み易くなっている。
【００５２】
以上、本発明の第一実施形態について説明したが、本発明は前記第一実施形態に限定されることなく、その趣旨を逸脱しない範囲で適宜に変更が可能である。
第一実施形態の包装箱１Ａでは、図４に示すように、左側部フラップ２３に略台形の開口部５０が形成されているが、開口部の形状や面積は限定されるものではない。例えば、左側部フラップ２３にスリット状に切り込んだ開口部を形成し、その開口部の後縁部を係止縁部としてもよい。
【００５３】
第一実施形態の包装箱１Ａでは、図１に示すように、差込フラップ２１の左縁部２１ｂの前後方向の中間位置から傾斜罫線Ｌ１が延びているが、差込フラップ２１の左縁部２１ｂの前端部から傾斜罫線Ｌ１を延ばしてもよい。
【００５４】
第一実施形態の包装箱１Ａでは、差込フラップ２１の左側の角部２５が左側部フラップ２３の開口部５０に差し込まれているが、右側部フラップ２４に開口部を形成し、その開口部に差込フラップ２１の右側の角部を差し込むように構成してもよい。この場合には、係止フラップ２１の傾斜罫線Ｌ１を右側から左側に向けて斜め後方に延ばすことになる。
【００５５】
第一実施形態の包装箱１Ａでは、差込フラップ２１の角部２５に直線状の傾斜縁部２５ａが形成されているが、差込フラップ２１の角部２５に円弧状の縁部を形成してもよく、差込フラップ２１の角部２５に直角に折れ曲がった縁部を形成してもよい。
【００５６】
第一実施形態の包装箱１Ａの端壁１１，１２および側壁１３，１４の幅や高さは限定されるものではない。また、端壁１１，１２と側壁１３，１４との間に傾斜壁を形成して、胴部１０を六角形や八角形などの多角形に形成してもよい。
【００５７】
第一実施形態の包装箱１Ａは段ボール製であるが、各種公知の板紙によって包装箱１Ａを形成できる。
【００５８】
［第二実施形態］
第二実施形態の包装箱１Ｂは、図６および図７に示すように、第一実施形態の包装箱１Ａ（図１および図２参照）と略同様の構成であり、頂部２０および底部３０の組み付け構造が異なっている。
【００５９】
第二実施形態の包装箱１Ｂは、図８に示すブランクシートＳ２を各罫線において山折りまたは谷折りすることで形成される。図８に示すブランクシートＳ２は内面側が見えるように配置されている。
【００６０】
第二実施形態の底部３０は、図７に示すように、前後の端壁１１，１２の下縁部に連設された前後一対の端部フラップ３１，３１と、左右の側壁１３，１４の下縁部に連設された左右一対の側部フラップ３２，３２と、を有している。
第二実施形態の底部３０では、両端部フラップ３１，３１の下面に両側部フラップ３２，３２が重ねられている。そして、両側部フラップ３２，３２を接着剤や粘着テープによって接合することで、底部３０が閉じられている。
【００６１】
第二実施形態の頂部２０は、図６に示すように、差込フラップ２１、後部フラップ２２、左側部フラップ２３および右側部フラップ２４を有している。図８に示すように、第二実施形態の差込フラップ２１、後部フラップ２２、左側部フラップ２３および右側部フラップ２４は、図３に示す第一実施形態の差込フラップ２１、後部フラップ２２、左側部フラップ２３および右側部フラップ２４と同一形状である。
【００６２】
第二実施形態の頂部２０では、図６に示すように、左側部フラップ２３の上面の後部に後部フラップ２２の左半分が重ねられている。また、後部フラップ２２の上面の右半分に右側部フラップ２４の後部が重ねられている。
【００６３】
第二実施形態の差込フラップ２１は、第一実施形態と同様に、左側部フラップ２３および右側部フラップ２４の上面の前部に重ねられている。そして、差込フラップ２１の角部２５が開口部５０の係止縁部５３側から左側部フラップ２３の下面側に入り込み、差込フラップ２１が左側部フラップ２３に係止されることで、頂部２０が閉じられている。
【００６４】
以上のような第二実施形態の包装箱１Ｂでは、差込フラップ２１を左側部フラップ２３の開口部５０にスムーズに差し込むことができ、差込フラップ２１を左側部フラップ２３に連結し易い。
【００６５】
また、第二実施形態の包装箱１Ｂでは、後部フラップ２２を左側部フラップ２３および右側部フラップ２４に対して上下に交差させることで、頂部２０を確実に閉じることができる。
【００６６】
以上、本発明の第二実施形態について説明したが、本発明は前記第二実施形態に限定されることなく、前記第一実施形態と同様に、その趣旨を逸脱しない範囲で適宜に変更が可能である。
【符号の説明】
【００６７】
１Ａ    包装箱（第一実施形態）
１Ｂ    包装箱（第二実施形態）
１０    胴部
１１    前側の端壁
１２    後側の端壁
１３    左側の側壁
１４    右側の側壁
１５    接合片
２０    頂部
２１    差込フラップ
２２    後部フラップ
２３    左側部フラップ
２４    右側部フラップ
２５    角部
２５ａ  傾斜縁部
３０    底部
３１    端部フラップ
３１ａ  係止片
３２    側部フラップ
３３    連結口
５０    開口部
５１    前縁部
５２    右縁部
５３    係止縁部
５３ａ  平行部
５３ｂ  傾斜部
６０    蓋板
Ｌ１    傾斜罫線
Ｓ１    ブランクシート（第一実施形態）
Ｓ２    ブランクシート（第二実施形態）
【図１】
2020147316.tif 000003
【図２】
2020147316.tif 000004
【図３】
2020147316.tif 000005
【図４】
2020147316.tif 000006
【図５】
2020147316.tif 000007
【図６】
2020147316.tif 000008
【図７】
2020147316.tif 000009
【図８】
2020147316.tif 000010